(57)【要約】      （修正有）【課題】最後まで安心して渦巻き薫香を燃焼させることができ、更に立ち消えを起こさないように支持することができる、コンパクトな渦巻き薫香用支持具を提供する。【解決手段】３枚一組の板状体２、２、２を、夫々の結合用スリット２ｅと、該結合用スリット２ｅに嵌める軸線方向の切目３ａを入れた弾性材からなる結合パイプ３とをもって一体化し、該３枚一組の板状体２、２、２を三方に放射状に開いた状態において、つき合わさった各三角状の突出片２ｄ、２ｄ、２ｄに中央部に三角状の穴４ａを設けた保形リング４を被せて保形するようにする。また、三角状の突出片２ｄに小孔２Ａを貫設する。【選択図】図３
2005198871.tif 000002
【特許請求の範囲】
【請求項１】
垂直な内側辺と、該内側辺と直角な底辺と、該内側辺の上端と底辺の外端とを結ぶ傾斜した外側辺とからなり、外側辺の内側辺と接する部分に、上方に向けて三角状の突出片を延設すると共に、内側辺近傍に内側辺に沿った結合用スリットを形成し、更に外側辺における底辺から所定の高さの位置に、薫香の一部を嵌め込むための凹部を形成してなる板状体を少なくとも３枚で一組とし、該３枚以上一組の板状体を、夫々の結合用スリットと、該結合用スリットに嵌める軸線方向の切目を入れた弾性材からなる結合パイプとをもって一体化し、該３枚以上一組の板状体を放射状に開いた状態において、つき合わさった各三角状の突出片に中央部に三角状の穴を設けた保形リングを被せて保形するようになしたことを特徴とする渦巻き薫香用支持具。
【請求項２】
三角状の突出片に小孔を貫設してなる請求項１記載の渦巻き薫香用支持具。
【請求項３】
板状体が、不燃性の紙からなる板状体である請求項１又は２記載の渦巻き薫香用支持具。
【請求項４】
保形リングが、グラスウールからなる保形リングである請求項１、２又は３記載の渦巻き薫香用支持具。
【発明の詳細な説明】
【技術分野】
【０００１】
本発明は渦巻き薫香用支持具に関し、更に詳細には、従来の渦巻き薫香用支持具にあっては、最後の半円又はそれ以上の燃え残り部分が、支持具から落ちて火災の原因になる等の危険性が指摘されていたが、本発明ではグラスウール等からなる保形リングを三角状の突出片に被せることにより、最後の末端までその上で燃え尽きるようにしたから、最後まで安心して渦巻き薫香を燃焼させることができ、更に渦巻き薫香が湿気を帯びて垂れ下がったときにも、立ち消えを起こさないようにして支持することができるようになした渦巻き薫香用支持具に係わる。
【背景技術】
【０００２】
渦巻き薫香を焚くときには、金属製の灰受け皿の縁に逆Ｌ字形の針金を立ち上げ、該逆Ｌ字形の針金の先端に渦巻き薫香を糸で吊るすようにすることが一般的である。
【発明の開示】
【発明が解決しようとする課題】
【０００３】
しかし、このような従来手段による場合には、最後の半円又はそれ以上の燃え残り部分が、支持具から落ちて火災の原因になる等の危険性がある。また更に渦巻き薫香が湿気を帯びたときに問題が起こる。それは湿気を帯びると垂れ下がり、着火した部分が一番下側に位置することになって灰受け皿に接触し、その結果熱を奪われて立ち消えするという問題である。
【０００４】
また、金属製の灰受け皿は、その直径が少なくとも渦巻き薫香の直径よりも大きく且つまた周縁部もある程度の高さがある。このため嵩張って携帯及び保管に不便である。
【０００５】
本発明は上記の点に鑑みなされたものであって、グラスウール等からなる保形リングを三角状の突出片に被せることにより、従来品の欠点を悉く解消し、最後の末端までその上で燃え尽きるようにしたから、最後まで安心して渦巻き薫香を燃焼させることができ、更に渦巻き薫香が湿気を帯びて垂れ下がったときにも、立ち消えを起こさないようにして支持することができ、また携帯時や保管時には、各板状体をいずれか１枚の側に寄せて重ねたり、或いは分解する等してコンパクトにすることができるようになした渦巻き薫香用支持具を提供せんとするものである。
【課題を解決するための手段】
【０００６】
而して、本発明の要旨とするところは、垂直な内側辺と、該内側辺と直角な底辺と、該内側辺の上端と底辺の外端とを結ぶ傾斜した外側辺とからなり、外側辺の内側辺と接する部分に、上方に向けて三角状の突出片を延設すると共に、内側辺近傍に内側辺に沿った結合用スリットを形成し、更に外側辺における底辺から所定の高さの位置に、薫香の一部を嵌め込むための凹部を形成してなる板状体を少なくとも３枚で一組とし、該３枚以上一組の板状体を、夫々の結合用スリットと、該結合用スリットに嵌める軸線方向の切目を入れた弾性材からなる結合パイプとをもって一体化し、該３枚以上一組の板状体を放射状に開いた状態において、つき合わさった各三角状の突出片に中央部に三角状の穴を設けた保形リングを被せて保形するようになしたことを特徴とする渦巻き薫香用支持具にある。
【０００７】
また、上記構成において、三角状の突出片に小孔を貫設するようにしてもよい。これにより該小孔に掛け具を掛け、本発明に係る渦巻き薫香用支持具を適宜の支持具でつり下げて使用することも可能となるものである。また、板状体としては不燃性の紙からなるものを用い、また保形リングとしてはグラスウールからなるものを用いることが好ましい。
【発明の効果】
【０００８】
本発明は上記の如き構成であるから、グラスウール等からなる保形リングを三角状の突出片に被せることにより、最後の末端までその上で燃え尽きるようにしたから、最後まで安心して渦巻き薫香を燃焼させることができ、更に渦巻き薫香が湿気を帯びて垂れ下がったときにも、立ち消えを起こさないようにして支持することができるものである。また、携帯時や保管時には、各板状体をいずれか１枚の側に寄せて重ねたり、或いは分解する等してコンパクトにすることもできるものである。
【発明を実施するための最良の形態】
【０００９】
本発明を実施するための最良の形態は、垂直な内側辺と、該内側辺と直角な底辺と、該内側辺の上端と底辺の外端とを結ぶ傾斜した外側辺とからなり、外側辺の内側辺と接する部分に、上方に向けて三角状の突出片を延設すると共に、内側辺近傍に内側辺に沿った結合用スリットを形成し、更に外側辺における底辺から所定の高さの位置に、薫香の一部を嵌め込むための凹部を形成してなる板状体を少なくとも３枚で一組とし、該３枚以上一組の板状体を、夫々の結合用スリットと、該結合用スリットに嵌める軸線方向の切目を入れた弾性材からなる結合パイプとをもって一体化し、該３枚以上一組の板状体を放射状に開いた状態において、つき合わさった各三角状の突出片に中央部に三角状の穴を設けた保形リングを被せて保形するようになすことにある。
【実施例】
【００１０】
以下、本発明の実施例について図面を参照しつつ説明する。
図１は分解状態図、図２は３枚一組の板状体を一体化した状態の正面図、図３は組み立てた状態の斜視図、図４は使用状態の斜視図である。
【００１１】
図中、１は渦巻き薫香用支持具である。２、２、２は不燃性の紙からなる板状体であり、これら３枚が一組となるものである。尚、実施例では、該板状体２を３枚で一組としているが、それ以上の枚数をもって一組としてもよい。また、これら板状体２、２、２は同一形状をなしており、垂直な内側辺２ａと、該内側辺２ａと直角な底辺２ｂと、該内側辺２ａの上端と底辺２ｂの外端とを結ぶ傾斜した外側辺２ｃとからなり、外側辺２ｃの内側辺２ａと接する部分に、上方に向けて三角状の突出片２ｄを延設すると共に、内側辺２ａ近傍に内側辺２ａに沿った結合用スリット２ｅを形成し、更に外側辺２ｃにおける底辺２ｂから所定の高さの位置に、薫香の一部を嵌め込むための凹部２ｆを形成してなるものである。また、本実施例においては三角状の突出片２ｄに小孔２Ａを貫設している。
【００１２】
３は、軸線方向に切目３ａを入れた弾性材、例えばゴム、プラスチック等からなる結合パイプである。該結合パイプ３を、前記板状体２、２、２を３枚重ねた状態においてそれらのスリット２ｅ、２ｅ、２ｅに差し通して嵌め、これら３枚の板状体２、２、２を一体化するものである。
【００１３】
４はグラスウールからなる、中央部に三角状の穴４ａを設けた保形リングである。該保形リング４を、前記３枚一組の板状体２、２、２を三方に放射状に開いた状態において、つき合わさった各三角状の突出片２ｄ、２ｄ、２ｄに被せて保形するものである。また、その他図中５は渦巻き薫香を示す。
【００１４】
次に、上記実施例の作用について説明する。
渦巻き薫香を焚くときには、図３に示す如く、３枚一組の板状体２、２、２を放射状に三方に開いた状態において、つき合わさった各三角状の突出片２ｄ、２ｄ、２ｄに保形リング４を被せるものである。このようにつき合わさった各三角状の突出片２ｄ、２ｄ、２ｄは保形リング４の三角状の穴４ａ内に保持され、三方に放射状に開いた状態はしっかりと保持される。したがって、炊いている最中においてバランスが崩れて倒れる虞がない。
【００１５】
次に、上記の状態において、図４に示す如く、渦巻き薫香５の中心部に各板状体２、２、２の三角状の突出片２ｄ、２ｄ、２ｄが入った状態で渦巻き薫香５を渦巻き薫香用支持具１に載置するものである。また、このときには渦巻き薫香５の最外周、即ち一番下側に位置する部分を各板状体２、２、２の凹部２ｆ、２ｆ、２ｆに嵌め込むものである。
【００１６】
これにより渦巻き薫香５が湿気を帯びて垂れ下がったときには、その全体を渦巻き薫香用支持具１によって支持し且つ一定の高さの位置より下がらないようにすることができ、もって立ち消えを起こすことを防ぐことができるものである。そしてまた、渦巻き薫香５の中心部が載る保形リング４がグラスウールからなる場合には、着火した部分がこれに接触しても熱を奪われて立ち消えを起こすことがなく、最後まで完全に燃焼させることができるものである。また、携帯時や保管時には、保形リング４を取り外し、三方に放射状に開いている３枚一組の板状体２、２、２をいずれか１枚の側に寄せて重ねたり、或いは結合パイプ３を外し、各板状体３、３、３をバラバラに分解する等してコンパクトにすることもできるものである。
【図面の簡単な説明】
【００１７】
【図１】本発明の分解状態図である。
【図２】３枚一組の板状体を一体化した状態の正面図である。
【図３】本発明の組み立てた状態の斜視図である。
【図４】本発明の使用状態の斜視図である。
【符号の説明】
【００１８】
１  渦巻き薫香用支持具
２、２、２  ３枚一組の板状体
２Ａ  小孔
２ａ  板状体の内側辺
２ｂ  板状体の底辺
２ｃ  板状体の外側辺
２ｄ  板状体の三角状の突出片
２ｅ  板状体の結合用スリット
２ｆ  板状体の凹部
３  結合パイプ
４  保形リング
【図１】
2005198871.tif 000003
【図２】
2005198871.tif 000004
【図３】
2005198871.tif 000005
【図４】
2005198871.tif 000006